(57)【要約】【課題】  自動閉鎖装置に連結したワイヤを引っ張る形式、緩める形式の両形式に使用可能かつ操作レバーを初期状態の位置に戻すことのできる手動操作装置を提供する。【解決手段】  シャッターの閉鎖を行うためのシャッター自動閉鎖装置１３に連結したワイヤ１５の一端側を連結したスライド部材１１を、前記ワイヤ１５を引っ張る方向及びワイヤ１５を緩める方向へ移動自在に設けると共に、前記スライド部材１１を移動するためのスライド移動手段２１を設け、かつ前記スライド部材１１を係止自在の係止部材１７を設けると共に前記スライド部材１１の係止を解除するための係止解除手段４１を備え、前記係止部材１７は、前記スライド部材１１が引っ張る方向へ移動したときに自動的に係止可能に設けてある。【選択図】      図１
2006063531.tif 000002
【特許請求の範囲】
【請求項１】
シャッターの閉鎖を行うためのシャッター自動閉鎖装置に連結した連結体の一端側を連結したスライド部材を移動自在に備えてなる手動操作装置において、前記スライド部材を、前記連結体を引っ張る方向及び連結体を緩める方向へ移動自在に設けると共に、前記スライド部材を前記引っ張る方向へ移動するためのスライド移動手段を設け、かつ前記引っ張る方向へ移動した前記スライド部材を係止自在の係止部材を設けると共に上記係止部材による前記スライド部材の係止を解除するための係止解除手段を備えていることを特徴とする手動操作装置。
【請求項２】
請求項１に記載の手動操作装置において、前記係止部材によって前記スライド部材を係止した状態にあるとき、前記スライド移動手段を前記スライド部材から離隔可能に設けてあることを特徴とする手動操作装置。
【請求項３】
請求項１又は２に記載の手動操作装置において、前記係止部材は、前記スライド部材が前記引っ張る方向へ移動したときに当該スライド部材を自動的に係止可能に設けてあることを特徴とする手動操作装置。
【請求項４】
請求項１、２又は３に記載の手動操作装置において、前記スライド移動手段は、前記スライド部材が前記引っ張る方向の位置又は前記緩める方向の位置に位置する場合においても初期状態の位置を維持可能であることを特徴とする手動操作装置。
【発明の詳細な説明】
【技術分野】
【０００１】
本発明は、例えば防煙、防火用のシャッターの閉鎖を行う作動部又は自動閉鎖装置を操作するための手動操作装置に係り、さらに詳細には、例えばレバーなどの操作部を、邪魔にならないように初期状態の位置に戻すことができ、また、前記自動閉鎖装置に連結したワイヤを引っ張る形式、緩める形式の両形式に使用可能な手動操作装置に関する。
【背景技術】
【０００２】
例えば、防煙、防火用のシャッターの自動閉鎖装置には、当該自動閉鎖装置から離れた位置に設置した手動閉鎖装置と連結したワイヤが引っ張されることにより作動して、シャッターの閉鎖を行う形式のものと、前記ワイヤが緩められることにより作動してシャッターの閉鎖を行う形式のものとがある。
【０００３】
前記手動閉鎖装置においては、当該手動閉鎖装置に備えた操作レバーをほぼ垂直に設置された状態からほぼ水平に倒すことによって、前記ワイヤを引っ張る構成又はワイヤを緩める構成である（例えば特許文献１，２参照）。
【特許文献１】実公昭６３−８９７４号公報
【特許文献２】実公昭６３−８９７５号公報
【発明の開示】
【発明が解決しようとする課題】
【０００４】
前記特許文献１，２に記載の手動閉鎖装置においては、自動閉鎖装置に連結したワイヤを引っ張る形式及びワイヤを緩める形式においては、ほぼ垂直状態の操作レバーをほぼ水平状態に倒すことによって前記ワイヤを引っ張る又は緩める構成であって、自動閉鎖装置を作動した後、前記操作レバーはほぼ水平状態に保持されるものである。
【０００５】
したがって、前記操作レバーは、手動閉鎖装置を設置した壁面から大きく突出した状態にあり、例えば緊急避難時等に邪魔になり易いという問題がある。
【０００６】
また、手動閉鎖装置においては、前記ワイヤを引っ張る形式とワイヤを緩める形式においてはそれぞれ構成が相違するので、それぞれの形式に対応して作成しなければならず、製造コストが高くなるという問題がある。
【課題を解決するための手段】
【０００７】
本発明は、上述のごとき従来の問題に鑑みてなされたもので、シャッターの閉鎖を行うためのシャッター自動閉鎖装置に連結した連結体の一端側を連結したスライド部材を移動自在に備えてなる手動操作装置において、前記スライド部材を、前記連結体を引っ張る方向及び連結体を緩める方向へ移動自在に設けると共に、前記スライド部材を前記引っ張る方向へ移動するためのスライド移動手段を設け、かつ前記引っ張る方向へ移動した前記スライド部材を係止自在の係止部材を設けると共に上記係止部材による前記スライド部材の係止を解除するための係止解除手段を備えていることを特徴とするものである。
【０００８】
また、本発明は、上記手動操作装置において、前記係止部材によって前記スライド部材を係止した状態にあるとき、前記スライド移動手段を前記スライド部材から離隔可能に設けてあることを特徴とするものである。
【０００９】
また、本発明は、上記手動操作装置において、前記係止部材は、前記スライド部材が引っ張る方向へ移動したときに当該スライド部材を自動的に係止可能に設けてあることを特徴とするものである。
【００１０】
また、本発明は、上記手動操作装置において、前記スライド移動手段は、前記スライド部材が前記引っ張る方向の位置又は前記緩める方向の位置に位置する場合においても初期状態の位置を維持可能であることを特徴とするものである。
【発明の効果】
【００１１】
本発明によれば、連結体の一端側を連結したスライド部材を、連結体を引っ張る方向及び緩める方向へ移動自在に設けてあって、連結体を引っ張る方向へ前記スライド部材を移動したときに当該スライド部材を係止自在の係止部材が設けてあると共に上記係止を解除する係止解除手段が設けてあるので、スライド移動手段によって前記スライド部材を引っ張る方向へ移動して、係止部材によって係止した後に、前記スライド移動手段を元の位置に復帰することができるものである。
【００１２】
したがって、スライド移動手段を、例えば操作レバーによって構成した場合には、操作レバーを元の状態に復帰することができ、従来のごとく突出した状態になることを防止できるものである。
【００１３】
そして、前記スライド部材を、連結体を引っ張る方向へ予め移動して通常のセットを行う場合には、連結体を緩めることによってシャッターの閉鎖を行う形式の自動閉鎖装置に適用することができ、前記スライド部材を、連結体を緩める方向へ予め移動して通常のセットを行う場合には、連結体を引っ張ることによってシャッターの閉鎖を行う形式の自動閉鎖装置に適用することができるものである。
【発明を実施するための最良の形態】
【００１４】
図１を参照するに、本発明の実施形態に係る手動操作装置１は、建物における壁３内に埋設される箱状のケーシング５を備えており、このケーシング５内には、複数のプレートを組合せた構成のガイドフレーム７が設けてある。このガイドフレーム７には上下方向の溝状のガイド部９が形成してあると共に、複数のローラ等を介することによって前記ガイド部９に案内されて上下動自在なスライド部材１１が前記ガイドフレーム７内に移動自在に設けられている。
【００１５】
前記手動操作装置１から離隔した位置には、例えば防煙、防火用のシャッター（図示省略）の閉鎖を行う自動閉鎖装置１３が設けられており、この自動閉鎖装置１３に一端部を連結した連結体の一例としてのワイヤ１５の他端部が前記スライド部材１１に連結してある。すなわち、前記スライド部材１１には、ワイヤ１５を連結固定するためのワイヤ連結具１６が備えられている。またスライド部材１１には、係止部材１７によって係止自在のピン状、凹状又は穴状の適宜形状の係止部１９が設けられている。
【００１６】
前記自動閉鎖装置１３の形式には、前記ワイヤ１５が引っ張られることにより作動してシャッターの閉鎖を行う形式のものと、前記ワイヤ１５が緩められることにより作動してシャッターの閉鎖を行う形式のものとがあるが、両形式の自動閉鎖装置１３とも良く知られた構成であるから、上記自動閉鎖装置１３についての詳細な説明は省略する。
【００１７】
前記スライド部材１１は前記ガイド部材９に沿って上下動するものであって、スライド部材１１が上側位置（上昇位置）から下側位置（下降位置）への移動は、前記ワイヤ１５を引っ張る方向への移動であり、前記下側位置から上側位置への移動は、ワイヤ１５を緩める方向への移動である。
【００１８】
前記スライド部材１１を、前記ワイヤ１５を引っ張る方向へ移動するためにスライド移動手段２１が設けられている。より詳細には、前記ケーシング５の前側（図１においては左側）にはケーシング５の前側を覆う四角形状の化粧枠２３が設けてあり、この化粧枠２３における四角形状の開口部を開閉自在な扉状の操作レバー２５の基端部側（下端部側）の内面にはブラケット２７が一体的に取付けてある。そして、このブラケット２７は、枢軸２９を介して、前記ガイドフレーム７と一体の支持フレーム３１の下部側に回動可能、すなわち前記開口部を開閉可能に支持されている。
【００１９】
前記操作レバー２５の内面のほぼ中央部付近に設けたブラケット３３には、揺動レバー３５の基端部がヒンジピン３７を介して揺動可能に支持されている。上記揺動レバー３５の先端部は前記ガイド部９に案内され、このガイド部９に沿って移動自在に設けてあって、当該揺動レバー３５の先端部には、前記スライド部材１１に形成した係合凹部１１Ａに係合して押圧自在の押圧部材３９が設けられている。
【００２０】
上記構成により、図１に想像線で示すように、スライド部材１１が上昇した位置、すなわちワイヤ１５を緩める方向に移動した状態にあるとき、前記操作レバー２５を反時計回り方向に回動すると、揺動レバー３５が下方向へ移動されるので、当該揺動レバー３５の先端部に備えた押圧部材３９によってスライド部材１１は、ガイド部９に沿って下降した位置、すなわちワイヤ１５を引っ張る方向に移動されるものである。
【００２１】
上述のように、スライド部材１１がワイヤ１５を引っ張る方向へ移動されると、スライド部材１１に設けた前記係止部１９に前記係止部材１７が係合して、スライド部材１１が係止固定されるものである。そして、上記係止部材１７によるスライド部材１１の係止を解除するために係止解除手段４１が設けられている。
【００２２】
より詳細には、前記ガイドフレーム７の下部には、前後方向（図１においては左右方向）へ移動自在のスライドピン４３が支持されており、このスライドピン４３の前端部に一体的に設けた押しボタン４５は、前記操作レバー２５の前面（図１において左側面）から突出可能に設けてある。そして、上記押しボタン４５と前記ガイドフレーム７との間に弾装したコイルスプリング等のごとき弾性部材４７の作用によって、前記スライドピン４３は常に前側方向へ付勢されている。
【００２３】
前記スライドピン４３の後端部に前記係止部材１７がボルト、ナット等のごとき固定具４９によって一体的に固定してある。前記係止部材１７が前記スライド部材１１の係止部１９を係止するために、係止部材１７に設けた係止突出部１７Ａは上側に傾斜面を形成した三角形状に構成してある。なお、図１に示す符号５１は樹脂製のパネルで、緊急時に前記操作レバー２５の操作を行うときには破損されるものである。換言すれば、上記パネル５１を破ることによって操作レバー２５の操作が可能になるものである。
【００２４】
以上のごとき構成において、前記自動閉鎖装置１３が、連結体の一例としてのワイヤ１５を緩めることにより作動してシャッターの閉鎖を行う形式の場合には、図１に示すように、前記スライド部材１１を、ワイヤ１５を引っ張る方向へ予め移動した状態の位置にセットするものである。上述のようにセットした状態においては、ワイヤ１５は、前記自動閉鎖装置１３に備えたスプリングの作用によって常に引っ張られた状態にある。
【００２５】
上記構成において、係止解除手段４１における前記弾性部材４７の付勢力に抗して押しボタン４５を押すと、係止部材１７が図１において右方向へ移動され、係止部材１７の係止突出部１７Ａがスライド部材１１の係止部１９から離脱される。すなわち、係止部材１７によるスライド部材１１の係止が解除される。
【００２６】
したがって、前記自動閉鎖装置１３のスプリングによって引っ張されていたワイヤ１５の引っ張りによってスライド部材１１がワイヤ１５を緩める方向（上方向）へ移動され、ワイヤ１５が緩められることとなる。よって、前記自動開閉装置１５が作動してシャッターの閉鎖が行われる。この際、操作レバー２５はほぼ垂直状態に予め保持されており、突出して邪魔になるようなことはないものである。
【００２７】
前述のように、前記スライド部材１１がワイヤ１５を緩める方向に移動し、図１に想像線で示すように上昇位置に位置するとき、ワイヤ１５を引っ張る方向の元の下方位置に復帰するには、操作レバー２５を、図１において反時計回り方向に回動操作することにより、前述したように、スライド部材１１は押圧部材３９によって下方向へ押し下げられるものである。
【００２８】
前記スライド部材１１が下降されると、スライド部材１１の下部が係止部材１７における係止突出部１７Ａの上側の傾斜面に当接し、係止部材１７を、弾性部材４７の付勢力に抗して後方向（図１において右方向）に移動する。その後、スライド部材１１がさらに下降されると、スライド部材１１の係止部１９に前記係止部材１７の係止突出部１７Ａが自動的に係合して、スライド部材１１を係止固定することになる。
【００２９】
上述のように、スライド部材１１が係止部材１７によって係止固定された後、前記操作レバー２５を初期の垂直な初期状態の位置に復帰すると、揺動レバー３５の先端部はガイド部９に沿って上昇されるので、揺動レバー３５の先端部に備えた押圧部材３９は前記スライド部材１１から離隔した状態に保持される。そして、前記操作レバー２５は初期状態に保持され、水平に突出するようなことはない。
【００３０】
前記自動閉鎖装置１３が、ワイヤ１５を引っ張ることにより作動してシャッターの閉鎖を行う形式の場合には、常態においてはスライド部材１１を上昇した位置、すなわちワイヤ１５を緩める方向に移動した状態の位置（上側位置）にセットするものである。そして、例えば緊急時には、操作レバー２５を、図１において反時計回り方向に回動操作して、上側位置に位置するスライド部材１１を下降し、ワイヤ１５を引っ張るものである。
【００３１】
前述したように、スライド部材１１が下降されて係止部材１７によって下側位置に係止固定された後、前記操作レバー２５を初期状態の位置に復帰した場合であっても、ワイヤ１５はスライド部材１１によって引っ張された状態に保持されるものである。したがって、ワイヤ１５を引っ張ることによって作動される前記自動閉鎖装置１３は作動状態にあり、シャッターの閉鎖が行われるものである。よって、この場合においても操作レバー２５をほぼ垂直状態の初期状態に保持することができるものであり、突出して邪魔になるようなことがないものである。
【００３２】
以上のごとき説明より理解されるように、本実施形態によれば、操作レバー２５は常にほぼ垂直な初期状態の位置に保持することが可能であり、突出して邪魔になるようなことがないものである。また、手動操作装置は、ワイヤが引っ張られたときに作動する形式及びワイヤが緩められたときに作動する形式の両方の自動閉鎖装置に適用可能であり、製造コストの低減化を図ることができるものである。
【図面の簡単な説明】
【００３３】
【図１】本発明の実施形態に係る手動操作装置の側断面作用説明図である。
【符号の説明】
【００３４】
１  手動操作装置
７  ガイドフレーム
９  ガイド部
１１  スライド部材
１３  自動閉鎖装置
１５  ワイヤ
１７  係止部材
１７Ａ  係止突出部
１９  係止部
２１  スライド移動手段
２５  操作レバー
３５  揺動レバー
３９  押圧部材
４１  係止解除手段
４３  スライドピン
４５  押しボタン
４７  弾性部材
【図１】
2006063531.tif 000003